(57)【特許請求の範囲】
【請求項１】
利用代金を割勘して支払う複数の利用者がそれぞれ操作可能な複数の利用者端末と、利用代金を決済する決済手段と、前記利用者端末に対する操作に基づいて前記決済手段にて決済される利用代金の割勘分担を管理する割勘決済管理手段とを有してなる割勘決済システムにおいて、
前記割勘決済管理手段は、
前記複数の利用者端末との会話機能を具備し、前記利用者端末のオンライン／オフライン状況を管理するコミュニケーション手段と、
前記複数の利用者端末にてそれぞれ指定された情報に基づいて利用代金の割勘分担を決定する割勘分担決定手段と、
前記割勘分担決定手段にて決定した割勘分担に応じた決済を前記決済手段に指示するとともに、前記決済手段に対する利用代金の入金状況を監視する決済監視手段と、
前記決済監視手段にて監視された入金状況に基づいて、前記割勘分担決定手段にて決定した割勘分担に応じた入金状況を管理する入金状況確認手段とを有し、
前記割勘分担決定手段は、前記コミュニケーション手段における管理状況に基づいて前記複数の利用者端末のオンライン／オフライン状況を管理する在席確認手段を具備し、前記複数の利用者端末が全てオンライン状態である場合のみ、前記複数の利用者端末に任意に入力された金額の合計金額が前記利用代金に応じた目標金額に達成するように前記複数の利用者が利用代金の割勘分担を調整するための画面を前記複数の利用者端末に送信することを特徴とする割勘決済システム。
【請求項２】
請求項１に記載の割勘決済システムにおいて、
前記割勘分担決定手段は、前記複数の利用者端末のうち予め決められた利用者端末のみの指定によって、前記複数の利用者端末間における前記情報の指定による前記割勘分担の協議を開始するとともに、前記目標金額を設定するための準備手段を有することを特徴とする割勘決済システム。
【請求項３】
請求項１に記載の割勘決済システムにおいて、
前記割勘分担決定手段は、前記複数の利用者端末のうち少なくとも１つがオフライン状態になった場合に、当該利用者端末がオフライン状態になった旨を前記複数の利用者端末に通知することを特徴とする割勘決済システム。
【請求項４】
請求項１に記載の割勘決済システムにおいて、
前記入金状況確認手段は、
前記決済監視手段にて監視された入金状況に基づいて前記決済手段に対する入金状況を管理する入金監視手段と、
前記入金監視手段にて管理された入金状況に基づいて、前記割勘分担決定手段にて決定した割勘分担に応じた入金状況を管理する集計手段と、
前記割勘分担決定手段にて決定した割勘分担に応じた入金が完了した旨が前記集計手段にて集計された場合に、前記割勘分担決定手段にて決定した割勘分担に応じた決済を前記決済監視手段を介して前記決済手段に指示する最終決定手段とを有することを特徴とする割勘決済システム。
【請求項５】
利用代金を割勘して支払う複数の利用者がそれぞれ操作可能な複数の利用者端末と、利用代金を決済する決済手段とに接続され、前記利用者端末に対する操作に基づいて前記決済手段にて決済される利用代金の割勘分担を管理するサーバであって、
前記複数の利用者端末との会話機能を具備し、前記利用者端末のオンライン／オフライン状況を管理するコミュニケーション手段と、
前記複数の利用者端末にてそれぞれ指定された情報に基づいて利用代金の割勘分担を決定する割勘分担決定手段と、
前記割勘分担決定手段にて決定した割勘分担に応じた決済を前記決済手段に指示するとともに、前記決済手段に対する利用代金の入金状況を監視する決済監視手段と、
前記決済監視手段にて監視された入金状況に基づいて、前記割勘分担決定手段にて決定した割勘分担に応じた入金状況を管理する入金状況確認手段とを有し、
前記割勘分担決定手段は、前記コミュニケーション手段における管理状況に基づいて前記複数の利用者端末のオンライン／オフライン状況を管理する在席確認手段を具備し、前記複数の利用者端末が全てオンライン状態である場合のみ、前記複数の利用者端末に任意に入力された金額の合計金額が前記利用代金に応じた目標金額に達成するように前記複数の利用者が利用代金の割勘分担を調整するための画面を前記複数の利用者端末に送信するサーバ。
【請求項６】
請求項５に記載のサーバにおいて、
前記割勘分担決定手段は、前記複数の利用者端末のうち予め決められた利用者端末のみの指定によって、前記複数の利用者端末間における前記情報の指定による前記割勘分担の協議を開始するとともに、前記目標金額を設定するための準備手段を有することを特徴とするサーバ。
【請求項７】
請求項５に記載のサーバにおいて、
前記割勘分担決定手段は、前記複数の利用者端末のうち少なくとも１つがオフライン状態になった場合に、当該利用者端末がオフライン状態になった旨を前記複数の利用者端末に通知することを特徴とするサーバ。
【請求項８】
請求項５に記載のサーバにおいて、
前記入金状況確認手段は、
前記決済監視手段にて監視された入金状況に基づいて前記決済手段に対する入金状況を管理する入金監視手段と、
前記入金監視手段にて管理された入金状況に基づいて、前記割勘分担決定手段にて決定した割勘分担に応じた入金状況を管理する集計手段と、
前記割勘分担決定手段にて決定した割勘分担に応じた入金が完了した旨が前記集計手段にて集計された場合に、前記割勘分担決定手段にて決定した割勘分担に応じた決済を前記決済監視手段を介して前記決済手段に指示する最終決定手段とを有することを特徴とするサーバ。
【請求項９】
利用代金を割勘して支払う複数の利用者がそれぞれ操作可能な複数の利用者端末と、前記利用者端末に対する操作に基づいて利用代金の割勘分担を管理する割勘決済管理手段とを有してなる割勘決済システムにおける割勘分担決定方法であって、
前記割勘決済管理手段が、前記利用者端末のオンライン／オフライン状況を監視し、
前記割勘決済管理手段が、前記複数の利用者端末が全てオンライン状態である場合に、前記複数の利用者端末に任意に入力された金額の合計金額が前記利用代金に応じた目標金額に達成するように前記複数の利用者が利用代金の割勘分担を調整するための画面を前記複数の利用者端末に送信し、
前記複数の利用者端末のうち少なくとも１つがオフライン状態となった場合に、前記割勘分担の決定処理を中断する割勘分担決定方法。
【請求項１０】
コンピュータに、
利用代金を割勘して支払う複数の利用者がそれぞれ操作可能な複数の利用者端末のオンライン／オフライン状況を監視する手順と、
前記複数の利用者端末が全てオンライン状態である場合に、前記複数の利用者端末に任意に入力された金額の合計金額が前記利用代金に応じた目標金額に達成するように前記複数の利用者が利用代金の割勘分担を調整するための画面を前記複数の利用者端末に送信する手順と、
前記複数の利用者端末のうち少なくとも１つがオフライン状態となった場合に、前記割勘分担の設定処理を中断する手順と、
前記複数の利用者端末が全てオンライン状態であり、前記設定された割勘分担の合計金額が前記目標金額に到達した場合に、合意取り付け依頼を受け付ける手順と、
前記複数の利用者端末のうち少なくとも１つがオフライン状態となった場合に、前記合意取り付けの受け付け処理を中断する手順と、
前記複数の利用者端末が全てオンライン状態であり、前記合意取り付け依頼を受け付けた場合に、前記設定された割勘分担について前記複数の利用者端末から合意を取り付ける手順と、
前記複数の利用者端末のうち少なくとも１つがオフライン状態となった場合に、前記合意取り付け処理を中断する手順と、
前記設定された割勘分担について前記複数の利用者端末から合意を取り付けた場合に、当該割勘分担を最終決定とする手順とを実行させるためのプログラム。
【発明の詳細な説明】
【技術分野】
【０００１】
本発明は、割勘決済システム、サーバ、割勘分担決定方法及びプログラムに関し、特に、割勘の分担を利用者の合議で決定できる割勘決済システム、サーバ、割勘分担決定方法及びプログラムに関する。
【背景技術】
【０００２】
近年、インターネットの急速な普及に伴い、インターネットを利用した様々なサービスが提供されており、その１つとして、例えば、インターネット上でのショッピングの支払いを割勘可能としたシステムが特許文献１に記載されている。この特許文献１に記載されたシステムは、クレジットカード会社のシステムと、クレジットカード端末及び利用者の端末とから構成されており、次のような動作をする。
【０００３】
幹事役の代表者がまとめて支払い（カード決済）をして、その後あるいはその前に、コミュニティのメンバに割勘伝票を送り、割勘伝票の番号に基づいて支払いを行い、カード会社のＤＢにおいて代表者のクレジットでの支払い額から、割勘分を差し引く。
【０００４】
このような割勘決済可能なシステムは、その他に特許文献２等にも記載されている。
【０００５】
このような技術を、インターネット上でのリアルタイムコミュニケーションの一形態であるＷｅｂ会議システムを利用した共同購入に適用した場合、代表者が、会話やアプリケーション共有等を使って割勘分担率を決定し、利用者に伝票を電子メール等で送付し、支払いをしてもらうことになる。
【０００６】
また、共同購入するメンバが各自の負担額を選択する電子購入システムが特許文献３に記載されている。このように、共同購入するメンバが各自の負担額を選択することにより、メンバ各自の意見に基づいて各自の負担額を決定できるようになる。
【０００７】
ここで、Ｗｅｂ会議システムに参加するメンバの全員がオンライン状態か否かを判断し、メンバの全員がオンライン状態であると判断された場合に同期会議を開始するシステムが特許文献４に記載されている。
【０００８】
上述したような割勘決済システムをこの同期会議システムに適用すれば、割勘するメンバの全員がオンライン状態である場合に、システムが起動し、メンバがシステムを用いて割勘分担を決定することができるようになる。
【特許文献１】特開２００４−２８０３１８号公報
【特許文献２】特開２００３−１５０８６６号公報
【特許文献３】特表２００４−５２７０５９号公報
【特許文献４】特開２００５−２２３６６４号公報
【発明の開示】
【発明が解決しようとする課題】
【０００９】
しかしながら、特許文献１，２に記載されたシステムにおいては、割勘の分担がメンバの承認なしに決められてしまうため、その後にメンバが割勘の分担を知って支払いを拒否する場合が生じ、割勘分担についてメンバ全員の合意を保証できないという問題点がある。
【００１０】
また、特許文献３に記載されたシステムにおいては、メンバが負担額を選択する際、他のメンバとのコミュニケーションが確立されていない状態であるため、他のメンバの負担額を認識しながら自分の負担額を選択することができず、それにより、全てのメンバの負担額が決定した後にメンバが時分の割勘の分担を知って支払いを拒否する可能性があり、上記同様に割勘分担についてメンバ全員の合意を保証できないという問題点がある。
【００１１】
また、上述したような従来の割勘決済システムを特許文献３に適用した場合は、割勘するメンバの全員がオンライン状態である場合にしかシステムが起動せず、システムを有効活用できるとは言い難い。
【００１２】
本発明は、上述したような従来の技術が有する問題点に鑑みてなされたものであって、利用者全員の合意に基づいて割勘分担を決定して割勘決済できる割勘決済システム、サーバ、割勘分担決定方法及びプログラムを提供することを目的とする。
【課題を解決するための手段】
【００１３】
上記目的を達成するために本発明は、
利用代金を割勘して支払う複数の利用者がそれぞれ操作可能な複数の利用者端末と、利用代金を決済する決済手段と、前記利用者端末に対する操作に基づいて前記決済手段にて決済される利用代金の割勘分担を管理する割勘決済管理手段とを有してなる割勘決済システムにおいて、
前記割勘決済管理手段は、
前記複数の利用者端末との会話機能を具備し、前記利用者端末のオンライン／オフライン状況を管理するコミュニケーション手段と、
前記複数の利用者端末にてそれぞれ指定された情報に基づいて利用代金の割勘分担を決定する割勘分担決定手段と、
前記割勘分担決定手段にて決定した割勘分担に応じた決済を前記決済手段に指示するとともに、前記決済手段に対する利用代金の入金状況を監視する決済監視手段と、
前記決済監視手段にて監視された入金状況に基づいて、前記割勘分担決定手段にて決定した割勘分担に応じた入金状況を管理する入金状況確認手段とを有し、
前記割勘分担決定手段は、前記コミュニケーション手段における管理状況に基づいて前記複数の利用者端末のオンライン／オフライン状況を管理する在席確認手段を具備し、前記複数の利用者端末が全てオンライン状態である場合のみ、前記複数の利用者端末に任意に入力された金額の合計金額が前記利用代金に応じた目標金額に達成するように前記複数の利用者が利用代金の割勘分担を調整するための画面を前記複数の利用者端末に送信することを特徴とする。
【００１４】
また、前記割勘分担決定手段は、前記複数の利用者端末のうち予め決められた利用者端末のみの指定によって、前記複数の利用者端末間における前記情報の指定による前記割勘分担の協議を開始するとともに、前記目標金額を設定するための準備手段を有することを特徴とする。
【００１５】
また、前記割勘分担決定手段は、前記複数の利用者端末のうち少なくとも１つがオフライン状態になった場合に、当該利用者端末がオフライン状態になった旨を前記複数の利用者端末に通知することを特徴とする。
【００１６】
また、前記入金状況確認手段は、
前記決済監視手段にて監視された入金状況に基づいて前記決済手段に対する入金状況を管理する入金監視手段と、
前記入金監視手段にて管理された入金状況に基づいて、前記割勘分担決定手段にて決定した割勘分担に応じた入金状況を管理する集計手段と、
前記割勘分担決定手段にて決定した割勘分担に応じた入金が完了した旨が前記集計手段にて集計された場合に、前記割勘分担決定手段にて決定した割勘分担に応じた決済を前記決済監視手段を介して前記決済手段に指示する最終決定手段とを有することを特徴とする。
【００１７】
上記のように構成された本発明においては、利用代金を割勘して支払う複数の利用者がそれぞれ操作可能な複数の利用者端末が全てオンライン状態である場合のみ、複数の利用者端末にてそれぞれ指定された情報に基づいて利用代金の割勘分担が決定されるので、利用代金を割勘して支払う複数の利用者の協議の上で利用代金の割勘分担が決定することになる。
【発明の効果】
【００１８】
以上説明したように本発明においては、コミュニケーション手段と割勘分担決定手段が連携し、利用代金を割勘して支払う複数の利用者がそれぞれ操作可能な複数の利用者端末が全てオンライン状態である場合のみ、複数の利用者端末にてそれぞれ指定された情報に基づいて利用代金の割勘分担が決定される構成としたため、利用代金を割勘して支払う複数の利用者の協議の上で利用代金の割勘分担が決定し、割勘分担について利用者全員の合意を保証することができる。
【発明を実施するための最良の形態】
【００１９】
以下に、本発明の実施の形態について図面を参照して説明する。
【００２０】
図１は、本発明の割勘決済システムの実施の一形態を示す図である。
【００２１】
本形態は図１に示すように、割勘決済管理手段となる会議サーバ１００と、利用代金を割勘して支払う複数の利用者がそれぞれ操作可能な複数の利用者端末２１０〜２３０と、決済システム３００と、ＥＣサイト４００とから構成されている。なお、本形態においては、３つの利用者端末２１０〜２３０が設けられているが、利用者端末の数はこれに限らない。
【００２２】
複数の利用者端末２１０〜２３０は、会議サーバ１００にログインし、コミュニケーション手段１１０を利用して複数の利用者端末２１０〜２３０間にて会議を開催することができる。複数の利用者端末２１０〜２３０の画面には、利用者毎にコミュニケーションに必要な画面が出力される。利用者は、会議サーバ１００での結果に基づいて、それぞれの決済システム３００に対して入金指示を行う。会議サーバ１００は、決済システム３００と連動しており、入金状況を監視することができる。ＥＣサイト４００は、支払い要求を会議サーバ１００に通知することができ、決済システム３００により入金が確認された段階で、決済が完了する。
【００２３】
会議サーバ１００は、コミュニケーション手段１１０と、割勘分担決定手段１２０と、入金状況確認手段１３０と、決済監視手段１４０とからなる。これらは、それぞれ次のように動作する。複数の利用者端末２１０〜２３０のオンライン／オフライン状況をコミュニケーション手段１１０から割勘分担決定手段１２０に通知し、割勘分担決定手段１２０は、ＥＣサイト４００からの支払い要求を受け、割勘分担を決定するための処理を実行する。割勘分担が決定したら、割勘分担決定手段１２０から入金状況確認手段１３０に制御を移行し、決済監視手段１４０から通知される入金状況に基づいて、入金状況を集計して表示する。
【００２４】
以下に、会議サーバ１００の詳細な構成について説明する。
【００２５】
図２は、図１に示した会議サーバ１００の詳細な構成を説明するための図である。
【００２６】
図２に示すように、コミュニケーション手段１１０は、会話手段１１１と、ログイン状況確認手段１１２とを含む。会話手段１１１は、利用者端末２１０〜２３０にて会話が行われていることを確認し、会話手段１１１の利用状況をログイン状況確認手段１１２に通知する。ログイン状況確認手段１１２は、利用者端末２１０〜２３０のセッションのログイン状況を管理しており、会話手段１１１から通知される会話手段１１１の利用状況とログイン状況との積をとり、これらによって利用者端末２１０〜２３０のオンライン／オフライン状況を管理し、利用者端末２１０〜２３０がログインして会話をしている場合にオンライン状態であり、それ以外の場合にはオフライン状態であるとして、割勘分担決定手段１２０へ通知する。
【００２７】
割勘分担決定手段１２０は、準備手段１２１と、状況管理手段１２２と、在席確認手段１２３と、割勘割合入力手段１２４とを含む。
【００２８】
図３は、図２に示した状況管理手段１２２から送信され、利用者端末２１０〜２３０に表示される画面を示す図である。
【００２９】
図３に示すように、図２に示した状況管理手段１２２から送信され、利用者端末２１０〜２３０に表示される画面には、会話手段と、割勘状況画面と、個別入力画面と、代表者画面とが存在する。
【００３０】
準備手段１２１は、複数の利用者端末２１０〜２３０のうち、予め決められた代表者が操作する利用者端末の指定のみを受け付け、その利用者端末において図３に示した目標金額設定項目においてＥＣサイト４００からの支払い要求に基づいた目標金額を設定して、協議開始を指定することで、利用者端末２１０〜２３０間における割勘の協議を開始する。協議を開始する時には、同期モードと非同期モードとが選択できる。同期モードを選択した場合には、複数の利用者端末２１０〜２３０の全てがオンライン状態の時にだけ操作可能となる。非同期モードを選択した場合には、複数の利用者端末２１０〜２３０のいずれか１つの利用者端末がオフライン状態であっても、個々の利用者端末２１０〜２３０においては、自分の操作のみが可能となる。複数の利用者端末２１０〜２３０の全てがオンライン状態の時の割勘協議を保証する場合には同期モードを設定する。準備手段１２１は、目標金額とモードと協議が開催されたことを状況管理手段１２２に対して通知する。
【００３１】
在席確認手段１２３は、コミュニケーション手段１１０から利用者端末２１０〜２３０のオンライン／オフライン状況が通知され、これに基づいて、割勘分担に関係する全ての利用者端末２１０〜２３０のオンライン／オフライン状況を管理する。利用者端末２１０〜２３０の全てがオンライン状態ではなく、いずれかの利用者端末がオフライン状態になっている場合には、状況管理手段１２２に対して、在席待ち状態となる指令を送信する。また、その後、利用者端末２１０〜２３０の全てがオンライン状態になった場合には、状況管理手段１２２に対して、在席待ち状態から復帰する指令を送信する。
【００３２】
状況管理手段１２２は、準備手段１２１からの開始要求に従って、割勘分担決定の状況管理を開始する。在席確認手段１２３から利用者端末２１０〜２３０のオンライン／オフライン状況を取得し、利用者端末２１０〜２３０にて利用者が個々に入力した割勘分担金額を割勘割合入力手段１２４を介して受け取る。状況管理手段１２２は、図３に示した割勘状況画面を構築し、利用者名と入力された割勘分担金額、その合計金額、及び利用代金に応じて設定された目標金額を表示する。さらに現在の状況を表示する。状況には、協議中、合意可能、合意取り付け、最終決定、及び在席待ちがある。利用者端末２１０〜２３０にて割勘の分担金額が入力中で、その合計が目標金額と一致していない場合には協議中となる。協議中の状態では、利用者端末２１０〜２３０にて各利用者が割勘分担金額をそれぞれ入力し、割勘割合入力手段１２４を介してその金額が状況管理手段１２２に通知される。そして、その合計が目標金額と一致した状態では合意可能となる。合意可能状態となった場合は、代表者が、自分の利用者端末に表示された合意依頼ボタンを押せるようになる。合意依頼ボタンが押されると合意取り付けの状態になる。合意取り付けの状態では、利用者は利用者端末２１０〜２３０を用いて入力された割勘分担金額の割勘割合入力手段１２４を介しての受け付けができなくなり、各利用者が利用者端末２１０〜２３０に表示された合意ボタンを押すことが可能となり、押している間は合意取り付けの状態が継続する。利用者端末２１０〜２３０の全てにおいて合意ボタンが押されて全員の合意を取り付けたら、最終決定となる。同期モードにおいて、協議中、合意可能、合意取り付けの状態で、在席確認手段１２３からの通知により、利用者端末２１０〜２３０のうち少なくとも１つの利用者端末がオフライン状態になった場合には、在席待ち状態となる。在席待ち状態においては、上述した処理を中断し、各利用者端末２１０〜２３０における割勘分担金額の入力や合意ボタン及び合意依頼ボタンの押下を禁止する。在席確認手段Ｓ１２３の通知により、利用者端末２１０〜２３０の全てがオンライン状態となり、全員の在席が確認されたら、元の状態に戻り、上述した処理を継続して行う。
【００３３】
割勘割合入力手段１２４は、図３に示した個別入力画面の中の個別金額設定と合意ボタンの機能がある。協議中及び合意可能の状態においては、個別金額設定後の入力ボタンが押せるようになる。合意取り付けの以降の状態においては、入力ボタンを押すことができない。合意取り付けの状態では合意ボタンが押せるようになる。合意ボタンは、一度押すと合意取り消しボタンとなり、再び押すと、合意を取り消し、再び合意ボタンになる。
【００３４】
上述した処理によって、割勘分担決定手段１２０において、利用者端末２１０〜２３０にて入力された割勘分担金額に基づいて利用代金の割勘分担が決定する。
【００３５】
入金状況確認手段１３０は、集計手段１３１と、入金監視手段１３２と、最終決定手段１３０とを含む。
【００３６】
入金監視手段１３２は、決済監視手段１４０にて監視された入金状況が通知され、その入金状況に基づいて決済システム３００に対する入金状況を管理する。
【００３７】
集計手段１３１は、入金監視手段１３２から通知される、利用者の入金状況を集計し、図３に示した割勘状況画面の支払金額、合計、状況に反映させる。状況は、入金前、入金中、入金終了、支払い完了、及び払い戻しがある。最初は入金前の状態であり、入金監視手段１３２から入金情報が通知されると、入金中となり、利用者それぞれの支払い状況及び合計金額に反映させる。割勘分担された全利用者の入金が終了し、割勘金額と合計金額とが一致した場合には、入金終了の状態となる。入金終了の状態になると、その旨が最終決定手段１３３に通知される。また、図３に示した代表者画面の中止ボタンを押すと、割勘決済が中止され、払い戻し状態になり、その旨が最終決定手段１３３に通知される。
【００３８】
このように、集計手段１３１においては、入金監視手段１３２から通知された入金状況に基づいて、割勘分担決定手段１２０にて決定した割勘分担に応じた入金状況を管理することになる。
【００３９】
最終決定手段１３３は、集計手段１３１から、割勘分担決定手段１２０にて決定した割勘分担に応じた入金が完了したことや、払い戻しが指定されたことが通知された場合に、割勘分担決定手段１２０にて決定した割勘分担に応じた決済を行う旨や、払い戻しを行う旨を決済監視手段１４０に通知する。
【００４０】
決済監視手段１４０は、決済システム３００とオンラインで結ばれており、決済システム３００から通知される決済システム３００に対する利用代金の入金状況を入金監視手段１３２に送付する。また、最終決定手段１３３から通知される最終決定通知に基づいて、割勘分担決定手段１２０にて決定した割勘分担に応じた決済を行う旨を決済システム３００に通知する。最終決定手段１３３から払い戻し通知を受信したら、決済システム３００に対して、払い戻しを指令する。
【００４１】
利用者端末２１０〜２３０は、利用者の数だけ存在しており、会議サーバ１００にログインすることで、それぞれの利用者に図３に示した画面が割り当てられる。それぞれの利用者は、利用者端末２１０〜２３０に表示された個別入力画面にて、各人の操作を実施することができ、会話手段１１１等のコミュニケーション手段１１０が利用可能となる。また、利用者端末２１０〜２３０からは、既存の決済システム３００を利用して、割勘分担分の支払いを実施することができる。
【００４２】
決済システム３００は、クレジットカードまたは銀行、課金代行業等の既存の決済システムである。利用者端末２１０〜２３０を操作することによって振込みができ、振込み先の業者へは振込み通知が可能となる。既存の銀行システムを基にした割勘決済の方法を説明する。利用者は、会議サーバの運用業者が用意した割勘専用の一時口座に入金し、その入金状況を、決済監視手段１４０に通知する。決済監視手段１４０からの支払い通知により、割勘専用の一時口座から、実際の振込先であるＥＣサイト４００に支払いが実施される。また、決済監視手段１４０からの払い戻し通知により、割勘専用の一時口座から、それぞれの利用者の口座に返金される。
【００４３】
以下に、上記のように構成された割勘決済システムの動作について説明する。
【００４４】
図４は、図１〜図３に示した割勘決済システムの動作を説明するためのフローチャートであり、（ａ）は割勘分担を設定するための処理を示す図、（ｂ）は入金監視処理を示す図である。
【００４５】
まず、割勘分担を設定するための処理について説明する。
【００４６】
代表者が、ＥＣサイト４００の支払い要求に基づいて、代表者が操作する利用者端末に表示された図３に示す画面にて目標金額を設定し、同期モードか非同期モードを選択して協議開始ボタンを押す（ステップＳ１１）。
【００４７】
次に、利用代金を割勘する複数の利用者は、それぞれの利用者が操作する利用者端末２１０〜２３０に表示された図３に示した割勘状況画面を確認しながら、コミュニケーション手段１１０を利用して会話をすることで、誰がどれだけの割勘金額を負担するかを協議して、割勘分担を設定する。利用者は、図３に示した個別金額設定に対してそれぞれの金額を入力して、利用者全ての合計金額が目標金額に達成するように調整する（ステップＳ１２）。
【００４８】
ここで、ステップＳ１１にて同期モードが選択された場合は、ステップＳ１２における協議処理中に、協議を行っている利用者端末２１０〜２３０のいずれか１つの利用者端末がオフライン状態になると、在席待ちの状態となり、全員の操作を停止する（ステップＳ１３）。このように、全員の操作を停止することで、利用者の全員の合議であることを保証する。
【００４９】
その後、協議を行っている利用者端末２１０〜２３０の全てがオンライン状態に戻った場合には、ステップＳ１２に復帰する。
【００５０】
ステップＳ１２にて合計金額が目標金額と一致した場合には、合意取り付け依頼を受け付け可能な状態に移行する。この状態においては、代表者が操作する利用者端末にて図３に示した合意依頼ボタンを押すことが可能となり、利用者全員に合意可能な状態であることを周知徹底する（ステップＳ１４）。この場合においても、ステップＳ１１にて同期モードが選択された場合は、利用者端末２１０〜２３０のいずれか１つの利用者端末がオフライン状態になると、在席待ちの状態となり（ステップＳ１５）、その後、利用者端末２１０〜２３０の全てがオンライン状態に戻った場合には、ステップＳ１４に復帰する。また、ステップＳ１４でも個別金額の設定が可能であり、合計金額が変動したら、ステップＳ１２に戻る。
【００５１】
ステップＳ１４の状態において、代表者が操作する利用者端末にて図３に示した合意依頼ボタンが押されると、協議を行っている利用者全員からの合意を取り付ける状態になる（ステップＳ１６）。利用者は、利用者端末２１０〜２３０に表示された割勘金額を確認し、図３に示した合意ボタンを押す。この場合においても、ステップＳ１１にて同期モードが選択された場合は、利用者端末２１０〜２３０のいずれか１つの利用者端末がオフライン状態になると、在席待ちの状態となり（ステップＳ１７）、その後、利用者端末２１０〜２３０の全てがオンライン状態に戻った場合には、ステップＳ１６に復帰する。
【００５２】
協議を行っている利用者全員からの合意が取り付けられた場合は、割勘分担決定手段１２０に設定された割勘分担が最終決定とされる（ステップＳ１８）。なお、この場合においては、ステップＳ１１にて同期モードが選択された場合でも利用者端末２１０〜２３０が全てオンライン状態である必要がなくなり、それぞれの利用者が入金可能となる。
【００５３】
また、合意が得られない場合は、代表者が合意依頼を取り消し、ステップＳ１４に戻る。
【００５４】
次に、入金監視処理について説明する。
【００５５】
ステップＳ１８において最終決定がなされると、直ちに、割勘分担決定手段１２０にて最終決定された割勘分担による割勘金額の入金前状態となる（ステップＳ２１）。
【００５６】
そして、いずれかの利用者が決済システム３００に対して振込みを実施すると、入金中状態となり（ステップＳ２２）、利用者全員からの割勘分担で合意された金額の入金を待つ。
【００５７】
利用者全員からの割勘分担で合意された金額の入金が完了すると、全ての入金が完了した状態となる（ステップＳ２３）。
【００５８】
また、ステップＳ２２の入金待ち状態が一定時間経過すると、支払いが無効になり、払い戻しが実施される（ステップＳ２４）。
【００５９】
全ての入金が完了すると、決済システム３００において、直ちにＥＣサイト４００への支払いを開始し、支払い完了状態となる（ステップＳ２５）。
【００６０】
上述したように、本形態においては、会議サーバ１００の中で、コミュニケーション手段１１０と割勘分担決定手段１２０とが連動しており、利用者が操作する利用者端末２１０〜２３０の全てがオンライン状態である場合にだけ割勘分担決定手段１２０にて割勘分担を決定する処理が行われるように構成されているため、利用者の全員がオンラインで会話が可能な状態のときにだけ、割勘分担を協議し、決定することができる。
【実施例】
【００６１】
以下に、上述した実施の形態における動作を具体的な実施例を用いて説明する。なお、本実施例においては、３人の利用者ユーザ１〜３が割勘割合を協議するものとする。
【００６２】
まず、利用者間にて割勘分担についての協議中の動作について説明する。
【００６３】
図５は、図１に示した割勘決済システムにおける協議中において利用者端末２１０〜２３０に表示される画面を示す図である。
【００６４】
まず、図５（ａ）に示すように、代表者がＥＣサイト４００からの支払い要求に基づいて目標金額１０,０００を設定し、同期モードで割勘分担協議を開催する。
【００６５】
次に、図５（ｂ）に示すように、協議中に移行し、ユーザ１〜３は、個別金額設定によって、自分が支払うべき金額を入力する。このとき、合計金額が合計欄に自動計算される。
【００６６】
ここで、ユーザ２が操作する利用者端末がオフライン状態になった場合は、図５（ｃ）に示すように、ユーザ２が操作する利用者端末がオフライン状態であることを示すフラグがたつことで、ユーザ２が操作する利用者端末がオフライン状態であることをユーザの全員に通知し、状況を在席待ちに変更する。ユーザ２が操作する利用者端末がオフライン状態からオンライン状態に復帰したら、図５（ｂ）に示した状態に戻る。
【００６７】
次に、利用者全員から割勘分担について合意を取り付ける際の動作について説明する。
【００６８】
図６は、図１に示した割勘決済システムにおいて利用者全員から割勘分担について合意を取り付ける際に利用者端末２１０〜２３０に表示される画面を示す図である。
【００６９】
各利用者がそれぞれ入力した割勘金額の合計が目標金額と一致すると、図６（ａ）に示すように、合意可能状態となり、代表者が操作する利用者端末において、図３に示した合意依頼ボタンを押すことが可能となる。
【００７０】
各参加者は、利用者端末に表示された図３に示した合意ボタンを押すことで、自分の意思を示し、図６（ｂ）に示すように、自分の領域に合意したことを示すフラグがたつ。各利用者は、合意取り付け中には金額の入力はできない。
【００７１】
ここで、合意取り付け中に、ユーザ１が操作する利用者端末がオフライン状態になった場合は、図６（ｃ）に示すように、ユーザ１が操作する利用者端末がオフライン状態であることを示すフラグがたち、状況を在席待ちに変更する。この状態では、他のユーザ２，３も、合意ボタンを押す操作をすることができない。
【００７２】
その後、割勘分担についてユーザ１〜３の全員から合意が取れると、図６（ｄ）に示すように、状況が最終決定に変更され、合意の取り消しや金額の変更ができなくなる。
【００７３】
次に、割勘分担にて決定された金額が入金される際の動作について説明する。
【００７４】
図７は、図１に示した割勘決済システムにおいて割勘分担にて決定された金額が入金される際に利用者端末２１０〜２３０に表示される画面を示す図である。
【００７５】
ユーザ１〜３の誰も入金していない場合は、図７（ａ）に示すように合計金額が０円となっている。
【００７６】
入金が開始されると、図７（ｂ）に示すように、各利用者の支払い状況が割勘金額の下に表示され、合計が自動計算される。
【００７７】
その後、ユーザ１〜３の全員について、割勘金額と一致した入金が確認されると、図７（ｃ）に示すように、支払い金額の合計金額が割勘金額の合計と一致し、入金終了の状態となる。
【００７８】
入金終了の状態となると、決済システム３００と通信が行われ、ＥＣサイト４００への支払いが自動実行され、図７（ｄ）に示すように、支払い完了の状態となる。
【００７９】
なお、本発明においては、会議サーバ１００内の処理は上述の専用のハードウェアにより実現されるもの以外に、その機能を実現するためのプログラムを会議サーバ１００にて読取可能な記録媒体に記録し、この記録媒体に記録されたプログラムを会議サーバ１００に読み込ませ、実行するものであっても良い。会議サーバ１００にて読取可能な記録媒体とは、フロッピーディスク、光磁気ディスク、ＤＶＤ、ＣＤなどの移設可能な記録媒体の他、会議サーバ１００に内蔵されたＨＤＤ等を指す。この記録媒体に記録されたプログラムは、例えば、制御ブロックにて読み込まれ、制御ブロックの制御によって、上述したものと同様の処理が行われる。
【産業上の利用可能性】
【００８０】
本発明によれば、インターネット上でのコミュニティの中で、ＥＣサイトでお金を出し合ってブロードバンドコンテンツを共同購入するときに、割勘分担を協議して、それぞれ合意した金額で確実に共同購入するといった用途に適用できる。
【００８１】
また、インターネット上でのコミュニティの中で、ＥＣサイトでお金を出し合って誰かにプレゼントを購入するときに、割勘分担を協議して、それぞれ合意した金額で確実に共同購入するといった用途にも適用可能である。
【図面の簡単な説明】
【００８２】
【図１】本発明の割勘決済システムの実施の一形態を示す図である。
【図２】図１に示した会議サーバの詳細な構成を説明するための図である。
【図３】図２に示した状況管理手段から送信され、利用者端末に表示される画面を示す図である。
【図４】図１〜図３に示した割勘決済システムの動作を説明するためのフローチャートであり、（ａ）は割勘分担を設定するための処理を示す図、（ｂ）は入金監視処理を示す図である。
【図５】図１に示した割勘決済システムにおける協議中において利用者端末に表示される画面を示す図である。
【図６】図１に示した割勘決済システムにおいて利用者全員から割勘分担について合意を取り付ける際に利用者端末に表示される画面を示す図である。
【図７】図１に示した割勘決済システムにおいて割勘分担にて決定された金額が入金される際に利用者端末に表示される画面を示す図である。
【符号の説明】
【００８３】
１００    会議サーバ
１１０    コミュニケーション手段
１１１    会話手段
１１２    ログイン状況確認手段
１２０    割勘分担決定手段
１２１    準備手段
１２２    状況管理手段
１２３    在籍確認手段
１２４    割勘割合入力手段
１３０    入金状況確認手段
１３１    集計手段
１３２    入金監視手段
１３３    最終決定手段
１４０    決済監視手段
２１０〜２３０    利用者端末
３００    決済システム
４００    ＥＣサイト
【図１】
0004666167.tif 000002
【図２】
0004666167.tif 000003
【図３】
0004666167.tif 000004
【図４】
0004666167.tif 000005
【図５】
0004666167.tif 000006
【図６】
0004666167.tif 000007
【図７】
0004666167.tif 000008